(57)【要約】      （修正有）【課題】米が貯蔵過程中で湿気、カビの発生、変質することを防止でき、毎度の米取出し量が米計量ボックスの容積となり、定量の米を取り出すことができる米貯蔵用の定量真空箱を提供する。【解決手段】箱本体２０と、内部に真空引き装置が設けられ、箱本体の上端の開口に被せる上蓋１０とを備える米貯蔵用の定量真空箱において、箱本体の側下部には、米取出し用の定量装置が設けられており、米取出し用の定量装置では、箱本体の下部は、一方の側が低く他方の側が高い階段状をなしていて、箱本体の階段面に固定された米受けボックスと、米受けボックス内に回転可能に設けられ、外円周面にそのルーメンと連通した開口が設けられ、スピンドルが米受けボックスから伸び出した後にノブ３４が実装された米計量ボックス３２と、を備える【選択図】図３
0003194485.tif 000002
【実用新案登録請求の範囲】
【請求項１】
箱本体と、内部に真空引き装置が設けられ、前記箱本体の上端の開口に被せる上蓋とを備える米貯蔵用の定量真空箱において、前記箱本体の側下部には、米取出し用の定量装置が設けられており、
前記米取出し用の定量装置では、
前記箱本体の下部は、一方の側が低く他方の側が高い階段状をなしていて、上端に開口して、底面に底蓋が設けられた米取出し口が設けられ、前記箱本体の階段面に固定された米受けボックスと、
外形が円柱状をなし、外円周面にそのルーメンと連通した開口が設けられ、前記米受けボックス内に回転可能に設けられ、スピンドルが前記米受けボックスから伸び出した後にノブが実装された米計量ボックスと、
を備えることを特徴とする米貯蔵用の定量真空箱。
【請求項２】
前記箱本体の階段面には、下向きに延びる米漏れ管が設けられ、前記米漏れ管の左右両側の階段面がそれぞれ外から内へ下向きに傾斜して左と右の米滑り板を形成し、前記左と右の米滑り板に第一、第二のシリカゲルワイピングブレードがそれぞれ介装され、前記米受けボックスと前記米漏れ管の底面との接合箇所にシールリングが設けられたことを特徴とする請求項１に記載の米貯蔵用の定量真空箱。
【請求項３】
前記底蓋と前記米取出し口の下端面との間には、下シールリングが設けられたことを特徴とする、請求項１に記載の米貯蔵用の定量真空箱。
【請求項４】
前記米計量ボックスのスピンドルには、回転シールリングが設けられたことを特徴とする請求項１に記載の米貯蔵用の定量真空箱。
【考案の詳細な説明】
【技術分野】
【０００１】
本考案は、米貯蔵用の器具に関し、具体的には、米貯蔵用の定量真空箱に関する。
【背景技術】
【０００２】
現在、市場で販売されている米は、真空プラスチック袋に包まれたものであることが多く、開封後、米がめ又は米袋で米を貯蔵することは一般的であり、真空貯蔵を行うことができないので、米が特に梅雨季節に湿気、カビの発生、変質しやすい。米は、カビの発生後、アフラトキシンを生成してしまう。実験によって、アフラトキシンは、現在発現されている化学発がん物質の中で最も強い物質の一つであり、主に肝機能を損なうとともに強い発がん、奇形発生、突然変異生成作用があり、肝がんが起こり、さらに骨がん、腎がん、直腸がん、乳腺がん、卵巣がん等を誘発可能であると証明している。そして、アフラトキシンは、相対的に安定した化学性質を有し、２８０℃以上の高温で破壊されるしかなく、熱に敏感ではなく、１００℃／２０時間でも完全に除去できない。したがって、カビの発生した米は、人体の健康に対する危害が極めて大きい。
【０００３】
なお、人間が日常生活で使用している計量コップと計測器は、十分に正確ではなく、定食定量の効果を達し難い。
【０００４】
以上をまとめると、家庭生活中で、米が貯蔵過程中で湿気、カビの発生、変質しやすい現象を解消し、飲食の安全を保証するとともに定食定量の機能を有するより先進的な米貯蔵用の器具を提供する緊急に必要がある。
【考案の概要】
【考案が解決しようとする課題】
【０００５】
本考案が解決しようとする技術課題は、米が貯蔵過程中で湿気、カビの発生、変質しやすい現象と定食定量を達し難い問題である。
【０００６】
上記技術課題を解決するために、本考案による請求項は、箱本体と、内部に真空引き装置が設けられ、前記箱本体の上端の開口に被せる上蓋とを備える米貯蔵用の定量真空箱において、前記箱本体の側下部には、米取出し用の定量装置が設けられており、
前記米取出し用の定量装置では、
前記箱本体の下部は、一方の側が低く他方の側が高い階段状をなしていて、上端に開口して、底面に底蓋が設けられた米取出し口が設けられ、前記箱本体の階段面に固定された米受けボックスと、
外形が円柱状をなし、外円周面にそのルーメンと連通した開口が設けられ、前記米受けボックスに回転可能に設けられ、スピンドルが前記米受けボックスから伸び出した後にノブが実装された米計量ボックスと、
を備える米貯蔵用の定量真空箱を提供する。
【０００７】
前記方法において、前記箱本体の階段面には、下向きに延びる米漏れ管が設けられ、前記米漏れ管の左右両側の階段面がそれぞれ外から内へ下向きに傾斜して左と右の米滑り板を形成し、前記左と右の米滑り板に第一、第二のシリカゲルワイピングブレードがそれぞれ介装され、前記米受けボックスと前記米漏れ管の底面との接合箇所にシールリングが設けられた。
【０００８】
前記方法において、前記底蓋と前記米取出し口下端面との間には、下シールリングが設けられた。
【０００９】
前記方法において、前記米計量ボックスのスピンドルには、回転シールリングが設けられた。
【００１０】
本考案では、上蓋に真空引き装置が設けられ、箱本体の下部に米取出し用の定量機構が設けられ、米が密閉された真空環境で貯蔵されることで、米が貯蔵過程中で湿気、カビの発生、変質することを防止でき、米計量ボックスを回転することで箱本体内の米を流出させ、毎度の米取出し量が米計量ボックスの容積となり、定量の米を取り出すことを実現した。
【図面の簡単な説明】
【００１１】
【図１】本考案の外形模式図である。
【図２】本考案における米取出し用の定量装置の構造模式図である。
【図３】本考案に係る前後方向に沿う断面図である。
【図４】本考案に係る左右方向に沿う断面図である。
【図５】本考案に係る米受けボックスの分解構造模式図である。
【考案を実施するための形態】
【００１２】
以下、図面を参照しながら本考案を詳細的に説明する。
【００１３】
図１に示すように、本考案が提供している米貯蔵用の定量真空箱は、箱本体２０と、上蓋１０とを備え、上蓋１０の二つの外側面にそれぞれロックレンチが設けられ、ロックレンチにより上蓋１０を箱本体２０の上端の開口に被せて、上蓋１０と箱本体２０との間に上蓋シールリングが設けられ、上蓋１０に手動で真空引きする方式と自動で真空引きする方式とを含む真空引き装置が設けられ、箱本体２０の下部に米取出し用の定量装置３０が設けられた。
【００１４】
図２、図３および図４に示すように、米取出し用の定量装置３０は、米受けボックス３１と米計量ボックス３２とを備える。
【００１５】
米受けボックス３１は、上端に開口して、底面に底蓋３３が設けられた米取出し口が設けられ、底蓋３３の一端が米受けボックス３１の底面により継ぎし、他端に弾性鉤爪が設けられ、弾性鉤爪が米受けボックス３１の底面に係止されることで、米取出し口を封止し、底蓋３３と米取出し口の底面との間に下シールリング３４が設けられた。
【００１６】
箱本体２０の下部は、左が低く右が高い階段状をなし、階段面に下向きに延びる米漏れ管２１１が設けられ、米漏れ管２１１の左右両側の階段面がそれぞれ外から内へ下向きに傾斜して左と右の米滑り板２１２を形成して、左と右の米滑り板２１２に第一、第二のシリカゲルワイピングブレード２１２、２１３がそれぞれ介装された。
【００１７】
米受けボックス３１は、箱本体２０の下部の階段面に固定され、米受けボックス３１と米漏れ管２１１の底面との接合箇所にシールリング２１４が設けられ、密封された箱本体を形成する。
【００１８】
米計量ボックス３２は、外形が円柱状をなし、そのルーメンが米計量チャンバーを形成して、米計量ボックス３２の外円周面にそのルーメン（米計量チャンバー）と連通した開口が設けられ、米計量ボックス３２が米受けボックス３１内に回転可能に設けられ、米計量ボックス３２のスピンドルが米受けボックス３１から伸び出した後にノブ３４が実装され、ノブ３４を回転することで米計量ボックス３２を回転させて、米計量ボックス３２のスピンドルに回転シールリング３６が設けられた。
【００１９】
図５に示すように、米受けボックス３１の側壁にスールホールが設けられ、スールホールにホルダー３５が係止され、ホルダー３５に二つの弧形溝が設けられ、ノブ３４の内側端面に二つの鉤爪３４１が凸設され、鉤爪３４１が弧形溝に挿入されるとともにホルダー３５の内側端面に引っ掛かることで、ノブ３４をホルダー３５の周方向に沿って回転させて、ノブ３４の内側端面に支柱３４３が設けられた弾簧３４２が介装された実装溝が二つ設けられた。
【００２０】
本考案は、箱本体に米が入れた後に上蓋をかけて、上蓋の真空引き装置を起動して箱本体の内部を真空に引くことで、米が密閉された真空環境下で貯蔵され、米が貯蔵過程中で湿気、カビの発生、変質することを防止する。
【００２１】
使用時、まず、ノブを回転することで、米計量ボックスの開口を上向きにし、箱本体内の米が重力の作用で米計量ボックスに落ちる。
【００２２】
そして、再び米計量ボックスを回転することで、米計量ボックスの開口を下向きにし、底蓋を開けると、米が米取出し口から流出し、毎度の米取出し量が米計量ボックスの容積となり、定量の米を取り出すことを実現した。
【００２３】
本考案は、上述した最適な実施形態に限定されるのではなく、本考案の啓示によりなされた構造変化が分かるはずであり、本考案と同じ又は近似した請求項は、いずれも本考案の保護範囲に収まる。
【図１】
0003194485.tif 000003
【図２】
0003194485.tif 000004
【図３】
0003194485.tif 000005
【図４】
0003194485.tif 000006
【図５】
0003194485.tif 000007
【手続補正書】
【提出日】平成26年9月22日(2014.9.22)
【手続補正１】
【補正対象書類名】図面
【補正対象項目名】図１
【補正方法】変更
【補正の内容】
【図１】
0003194485.tif 000008
【手続補正２】
【補正対象書類名】図面
【補正対象項目名】図２
【補正方法】変更
【補正の内容】
【図２】
0003194485.tif 000009